(57)【要約】      （修正有）【課題】使用者の意思に拘わらず開蓋されてしまうといった不測の事態を確実に防止することができる飲料容器を提供する。【解決手段】飲料容器は、口部２ａ及びその下側の窪み部２ｂを有する容器本体２と、口部２ａを閉塞する蓋体３とからなり、蓋体３は、蓋本体１０と、蓋本体１０に対して上下方向に移動可能に支持されるコア部材４０と、コア部材４０に対して上下方向に移動可能にコア部材４０に支持される弾性変形可能な筒状のパッキン５０と、コア部材４０に対して蓋本体１０が降下した状態に保持する、その保持を解除可能な保持手段と、保持手段による保持を解除不能にロックする、そのロックを解除可能なロック手段と、コア部材４０に対して蓋本体１０を上方側に付勢する付勢手段とを備えており、蓋体３を口部２ａに被嵌して蓋本体１０を押し下げると、コア部材４０に対してパッキン５０が降下し、パッキン５０のスカート部５２が窪み部２ｂに液密状態で圧着される。【選択図】図１６
0003229318.tif 000002
【実用新案登録請求の範囲】
【請求項１】
口部を有する容器本体と、前記容器本体の口部を閉塞する蓋体とを備え、
前記容器本体は、その口部の下側の内周面が径方向外側に窪んだ窪み部を有し、
前記蓋体は、
前記容器本体の口部に入り込む内筒部を有する蓋本体と、
前記蓋本体に対して上下方向に移動可能に前記蓋本体の内筒部に外嵌めまたは内嵌めされるコア部材と、
前記コア部材に対して上下方向に移動可能に前記コア部材に外嵌めされ、前記コア部材に対する前記蓋本体の降下動作に連動して前記コア部材に対して降下する弾性変形可能な筒状のパッキンと、
前記コア部材に対して前記蓋本体が降下した状態を保持する、その保持を解除可能な保持手段と
を備え、
前記コア部材は、下端部に前記容器本体の窪み部の下面に当接する外フランジ部を有し、
前記パッキンは、外周面が全周に渡って径方向内側に窪んだ薄肉部と、この薄肉部から下方に向かってラッパ状に広がって前記コア部材の外フランジ部の上面を覆うスカート部とを有し、
前記コア部材の外フランジ部が前記容器本体の窪み部の下面に当接するまで前記パッキン及びコア部材を前記容器本体の口部に挿入した状態で前記蓋本体を押し下げることにより、前記コア部材に対して前記蓋本体及び前記パッキンが降下し、それに伴って、前記パッキンのスカート部が前記コア部材の外フランジ部に当接して押し広げられ、その先端が前記コア部材の外フランジ部の径方向外側に張り出して前記容器本体の窪み部に圧入されることで前記容器本体の窪み部に液密状態で圧着され、前記保持手段によってその状態が保持される飲料容器において、
前記保持手段による保持を解除不能にロックする、そのロックを解除可能なロック手段を設けたことを特徴とする飲料容器。
【請求項２】
前記保持手段は、それぞれ前記蓋本体の径方向外側に付勢された状態で径方向内側に押し込み可能に前記蓋本体に収容され、前記蓋本体の径方向内側に押し込むことによって前記コア部材に対する前記蓋本体の降下状態の保持を解除する一対の保持解除ボタンを有し、
前記ロック手段は、ロック状態において前記一対の保持解除ボタンの前記蓋本体の径方向内側への移動を阻止する係止部を有している請求項１に記載の飲料容器。
【請求項３】
前記コア部材に対して前記蓋本体を上方側に付勢する付勢手段が設けられている請求項１または２に記載の飲料容器。
【考案の詳細な説明】
【技術分野】
【０００１】
この考案は、携帯用魔法瓶や水筒等の飲料容器に関する。
【背景技術】
【０００２】
携帯用の飲料容器としては、例えば、特許文献１に開示されたものがある。図１７及び図１８に示すように、この飲料容器１Ａは、口部２ａの下側の内周面が径方向外側に窪んだ窪み部２ｂを有する真空二重壁構造の容器本体２Ａと、この容器本体２Ａの口部２ａを閉塞する蓋体３Ａとを備えており、蓋体３Ａは、図１９に示すように、蓋本体１０Ａと、この蓋本体１０Ａに対して上下方向に移動可能に取り付けられるコア部材４０Ａと、上半部が蓋本体１０Ａに装着される弾性変形可能な筒状のパッキン５０Ａと、コア部材４０Ａに対して蓋本体１０Ａが降下した状態に保持する、その保持を解除可能な保持手段とから構成されている。
【０００３】
前記蓋本体１０Ａは、図２０及び図２１（ａ）に示すように、容器本体２Ａの口部２ａに被嵌される外筒部１１Ａ及び容器本体２Ａの口部２ａに入り込む内筒部１２Ａを有するベース部材１０Ａａと、このベース部材１０Ａａの内筒部１２Ａに装着された補助部材１０Ａｂとから構成されており、ベース部材１０Ａａ及び補助部材１０Ａｂによって、前記保持手段の構成要素を収容する収容部ＢＨが形成されている。
【０００４】
前記コア部材４０Ａは、図１９及び図２１（ａ）に示すように、上端が閉塞された、下端に外フランジ部４２Ａを有する筒状部４１Ａと、筒状部４１Ａの上端部から立ち上がる、上端に係止爪４４Ａを有する対向一対の起立片４３Ａとを備えており、蓋本体１０Ａの補助部材１０Ａｂを組み付けた内筒部１２Ａに嵌入されることで、蓋本体１０Ａに対して上下方向に移動可能に取り付けられ、ベース部材１０Ａａ及び補助部材１０Ａｂによって形成される蓋本体１０Ａの収容部ＢＨに、起立片４３Ａが進入することができるようになっている。
【０００５】
前記パッキン５０Ａは、図１９及び図２１（ａ）に示すように、外周面が全周に渡って径方向内側に窪んだ薄肉部５１Ａと、この薄肉部５１Ａから下方に向かってラッパ状に広がるスカート部５２Ａとを備えており、上半部がベース部材１０Ａａの内筒部１２Ａに抜け止めされた状態で外嵌めされている。
【０００６】
前記保持手段は、図２０及び図２１（ａ）に示すように、コア部材４０Ａの筒状部４１Ａの上端から立ち上がる上端に係止爪４４Ａを有する対向一対の起立片４３Ａと、蓋本体１０Ａの収容部ＢＨにそれぞれ径方向内側に押し込み可能に収容される、対向一対の起立片４３Ａが進入可能な穴６２Ａ及びこの穴６２Ａの基端部側の端縁に形成された被係止爪６３Ａを有する一対の保持解除ボタン６１Ａと、一対の保持解除ボタン６１Ａを蓋本体１０Ａの径方向外側に付勢するコイルバネ６４Ａとから構成されており、保持解除ボタン６１Ａの被係止爪６３Ａと起立片４３Ａの係止爪４４Ａとが面接触している。
【０００７】
この飲料容器１Ａでは、図２１（ａ）に示すように、コア部材４０Ａが容器本体２Ａの窪み部２ｂの下面に当接するまでパッキン５０Ａ及びコア部材４０Ａを容器本体２Ａの口部２ａに挿入した状態で蓋本体１０Ａを押し下げることにより、同図（ｂ）に示すように、コア部材４０Ａに対して蓋本体１０Ａ及びパッキン５０Ａが降下し、それに伴って、パッキン５０Ａのスカート部５２Ａがコア部材４０Ａの外フランジ部４２Ａに当接して押し広げられ、その先端がコア部材４０Ａの外フランジ部４２Ａの径方向外側に張り出して容器本体２Ａの窪み部２ｂに圧入されることで容器本体２Ａの窪み部２ｂに液密状態で圧着されると共に、保持解除ボタン６１Ａの被係止爪６３Ａと面接触しているコア部材４０Ａの起立片４３Ａの係止爪４４Ａによって保持解除ボタン６１Ａが内側に押し込まれながら降下し、被係止爪６３Ａが係止爪４４Ａの下側に移動した時点で保持解除ボタン６１Ａがコイルバネ６４Ａの付勢力によって径方向外側に押し出されて係止爪４４Ａに係止されるので（図２１（ｂ）参照）、コア部材４０Ａに対して蓋本体１０Ａが押し下げられた状態、即ち、容器本体２Ａの口部２ａが蓋体３Ａによって閉塞された状態に保持されるようになっている。
【０００８】
このようにして、容器本体２Ａの口部２ａを閉塞している蓋体３Ａを取り外すには、一対の保持解除ボタン６１Ａを同時に径方向内側に押し込んで被係止爪６３Ａに対する係止爪４４Ａの係止を解除すると、スカート部５２Ａが押し広げられた状態に弾性変形しているパッキン５０Ａの復元力によって、コア部材４０Ａに対してパッキン５０Ａが押し上げられるので、それに伴って、蓋本体１０Ａも押し上げられ、図２１（ａ）に示す蓋本体１０Ａを押し下げる前の状態に戻るので、容器本体２Ａの口部２ａから引き抜くことで、蓋体４Ａを容器本体２Ａから取り外すことができる。
【先行技術文献】
【特許文献】
【０００９】
【特許文献１】実用新案登録第３２２６１５７号公報
【考案の概要】
【考案が解決しようとする課題】
【００１０】
ところで、上述したような飲料容器１Ａは、本来、一対の保持解除ボタン６１Ａを同時に径方向内側に押し込まない限り開蓋できないが、一方の保持解除ボタン６１Ａだけを押し込んだとき、その保持解除ボタン６１Ａの被係止爪６３Ａと、その被係止爪６３Ａに係止されている起立片４３Ａの係止爪４４Ａとの係止状態が解除され、蓋本体１０Ａの一部が僅かに持ち上がることで、その係止解除状態が保持される場合がある。このように、被係止爪６３Ａと係止爪４４Ａとの係止解除状態が保持されると、その保持解除ボタン６１Ａの押し込みを解除しても、その保持解除ボタン６１Ａが初期位置に復帰せず、被係止爪６３Ａと係止爪４４Ａとの係止状態が復元されることはない。このような状態において、他方の保持解除ボタン６１Ａを押し込むと、その保持解除ボタン６１Ａの被係止爪６３Ａと、その被係止爪６３Ａに係止されている起立片４３Ａの係止爪４４Ａとの係止状態が解除されるので、飲料容器１Ａは開蓋されてしまう。
【００１１】
従って、飲料容器１Ａの使用者が無意識のうちに一方の保持解除ボタン６１Ａに触れて押し込んだ後、それに気づかずに、他方の保持解除ボタン６１Ａに触れて押し込んだ場合は、使用者の意思に拘わらず、開蓋されてしまうといった問題がある。
【００１２】
また、飲料容器１Ａをかばんに収容している場合、かばん内の収容物によって一方の保持解除ボタン６１Ａが押し込まれ、さらに、その後、かばん内の他の収容物によって他方の保持解除ボタン６１Ａが押し込まれると、かばん内で飲料容器１Ａが開蓋してしまい、飲料容器１Ａの内容物がかばん内で漏れ出すおそれがある。
【００１３】
そこで、この考案の課題は、この種の飲料容器を改良することにより、使用者の意思に拘わらず開蓋されてしまうといった不測の事態を確実に防止することができる飲料容器を提供することにある。
【課題を解決するための手段】
【００１４】
上記の課題を解決するため、請求項１に係る考案は、口部を有する容器本体と、前記容器本体の口部を閉塞する蓋体とを備え、前記容器本体は、その口部の下側の内周面が径方向外側に窪んだ窪み部を有し、前記蓋体は、前記容器本体の口部に入り込む内筒部を有する蓋本体と、前記蓋本体に対して上下方向に移動可能に前記蓋本体の内筒部に外嵌めまたは内嵌めされるコア部材と、前記コア部材に対して上下方向に移動可能に前記コア部材に外嵌めされ、前記コア部材に対する前記蓋本体の降下動作に連動して前記コア部材に対して降下する弾性変形可能な筒状のパッキンと、前記コア部材に対して前記蓋本体が降下した状態を保持する、その保持を解除可能な保持手段とを備え、前記コア部材は、下端部に前記容器本体の窪み部の下面に当接する外フランジ部を有し、前記パッキンは、外周面が全周に渡って径方向内側に窪んだ薄肉部と、この薄肉部から下方に向かってラッパ状に広がって前記コア部材の外フランジ部の上面を覆うスカート部とを有し、前記コア部材の外フランジ部が前記容器本体の窪み部の下面に当接するまで前記パッキン及びコア部材を前記容器本体の口部に挿入した状態で前記蓋本体を押し下げることにより、前記コア部材に対して前記蓋本体及び前記パッキンが降下し、それに伴って、前記パッキンのスカート部が前記コア部材の外フランジ部に当接して押し広げられ、その先端が前記コア部材の外フランジ部の径方向外側に張り出して前記容器本体の窪み部に圧入されることで前記容器本体の窪み部に液密状態で圧着され、前記保持手段によってその状態が保持される飲料容器において、前記保持手段による保持を解除不能にロックする、そのロックを解除可能なロック手段を設けたことを特徴としている。
【００１５】
請求項２に係る考案は、請求項１に係る考案の飲料容器において、前記保持手段は、それぞれ前記蓋本体の径方向外側に付勢された状態で径方向内側に押し込み可能に前記蓋本体に収容され、前記蓋本体の径方向内側に押し込むことによって前記コア部材に対する前記蓋本体の降下状態の保持を解除する一対の保持解除ボタンを有し、前記ロック手段は、ロック状態において前記一対の保持解除ボタンの前記蓋本体の径方向内側への移動を阻止する係止部を有していることを特徴としている。
【００１６】
請求項３に係る考案は、請求項１または２に係る考案の飲料容器において、前記コア部材に対して前記蓋本体を上方側に付勢する付勢手段が設けられていることを特徴としている。
【考案の効果】
【００１７】
以上のように、請求項１に係る考案の飲料容器は、保持手段による保持を解除不能にロックする、そのロックを解除可能なロック手段を備えているので、飲料容器の使用者が開蓋する意思のないときは、ロック手段によって保持手段による保持を解除不能にロックしておき、容器本体に充填された飲料を注出する際にそのロックを解除することで、飲料容器の使用者が開蓋する意思のないときは確実に閉蓋状態が維持されるので、使用者の意思に拘わらず開蓋されてしまうといった不測の事態を確実に防止することができる。
【００１８】
特に、請求項２に係る考案の飲料容器は、保持手段が、それぞれ蓋本体の径方向外側に付勢された状態で径方向内側に押し込み可能に蓋本体に収容され、蓋本体の径方向内側に押し込むことによってコア部材に対する蓋本体の降下状態の保持を解除する一対の保持解除ボタンを有しており、ロック手段は、ロック状態において一対の保持解除ボタンの蓋本体の径方向内側への移動を阻止する係止部を有しているので、ロック手段によって保持手段による保持を解除不能にロックしておくと、飲料容器の使用者が無意識のうちに保持解除ボタンに触れても、その保持解除ボタンが蓋本体の径方向内側に押し込まれたり、飲料容器をかばんに収容していた場合にかばん内の収容物によって保持解除ボタンが押し込まれたりすることもないので、使用者の意思に拘わらず、開蓋されてしまうことがなく、容器本体に充填された飲料がかばん内で漏れ出すこともない。
【００１９】
また、請求項３に係る考案の飲料容器は、コア部材に対して蓋本体を上方側に付勢する付勢手段が設けられているので、閉蓋状態において、ロック手段によるロックを解除した状態で、保持手段による保持を解除すると、スカート部が押し広げられた状態に弾性変形しているパッキンの復元力によって、コア部材に対してパッキンが押し上げられ、それに伴って、蓋本体も押し上げられるが、パッキンの復元力に加えて、付勢手段の付勢力が付加されているので、コア部材に対して蓋本体が即座に押し上げられ、円滑かつ確実に開蓋することができる。
【図面の簡単な説明】
【００２０】
【図１】この考案に係る飲料容器の一実施形態を示す斜視図である。
【図２】同上の飲料容器を構成している容器本体を示す縦断面図である。
【図３】同上の飲料容器を構成している蓋体を示す分解斜視図である。
【図４】同上の蓋体を構成している蓋本体を下側から視た斜視図である。
【図５】（ａ）は同上の蓋体を図１に示すＸ−Ｘ線に対応する位置で破断した縦断面図、（ｂ）は同上の蓋体を図１に示すＹ−Ｙ線に対応する位置で破断した縦断面図である。
【図６】同上の蓋本体を上側から視た分解斜視図である。
【図７】同上の蓋本体を下側から視た分解斜視図である。
【図８】（ａ）は同上の蓋本体を図１に示すＸ−Ｘ線に対応する位置で破断した縦断面図、（ｂ）は同上の蓋本体を図１に示すＹ−Ｙ線に対応する位置で破断した縦断面図である。
【図９】同上の蓋体における蓋本体のベース部材及び操作部材の表示を省略した状態を示す斜視図である。
【図１０】（ａ）は同上の保持手段を構成している保持解除ボタン及びコイルバネを示す平面図、（ｂ）は（ａ）のＸ−Ｘ線に沿った断面図である。
【図１１】（ａ）は蓋体を構成しているコア部材を図１に示すＸ−Ｘ線に対応する位置で破断した縦断面図、（ｂ）は同上のコア部材を図１に示すＹ−Ｙ線に対応する位置で破断した縦断面図である。
【図１２】同上の蓋体を構成しているパッキンを示す縦断面図である。
【図１３】（ａ）はロック手段によるロックを解除した状態の蓋本体を示す斜視図、（ｂ）は同上のロック解除状態における保持解除ボタンと係止部との関係を保持解除ボタンの下側から視た図、（ｃ）はロック解除時において一対の保持解除ボタンを押し込んだ状態を保持解除ボタンの上側から視た図である。
【図１４】（ａ）はロック手段によってロックした状態の蓋本体を示す斜視図、（ｂ）は同上のロック状態における保持解除ボタンと係止部との関係を保持解除ボタンの下側から視た図、（ｃ）は同上の状態を保持解除ボタンの上側から視た図である。
【図１５】（ａ）は同上の蓋体を容器本体の口部に嵌合させた飲料容器を図１に示すＸ−Ｘ線に対応する位置で破断した部分縦断面図、（ｂ）は同上の状態の飲料容器を図１に示すＹ−Ｙ線に対応する位置で破断した部分縦断面図である。
【図１６】（ａ）は図１１に示す状態から蓋本体を押し下げて容器本体の口部を閉塞した飲料容器を図１に示すＸ−Ｘ線に対応する位置で破断した部分縦断面図、（ｂ）は同上の平蓋状態の飲料容器を図１に示すＹ−Ｙ線に対応する位置で破断した部分縦断面図である。
【図１７】従来の飲料容器を示す斜視図である。
【図１８】同上の飲料容器を構成している容器本体を示す縦断面図である。
【図１９】同上の飲料容器を構成している蓋体を示す分解斜視図である。
【図２０】同上の蓋体を構成している蓋本体を下側から視た分解斜視図である。
【図２１】（ａ）は同上の蓋体を容器本体の口部に嵌合させた飲料容器を図１７に示すＸ−Ｘ線に対応する位置で破断した部分縦断面図、（ｂ）は（ａ）に示す状態から蓋本体を押し下げて容器本体の口部を閉塞した飲料容器を図１７に示すＸ−Ｘ線に対応する位置で破断した部分縦断面図である。
【考案を実施するための形態】
【００２１】
以下、実施の形態について図面を参照して説明する。図１に示すように、この飲料容器１は、飲料を充填する容器本体２と、この容器本体２の口部を閉塞する蓋体３とを備えている。
【００２２】
前記容器本体２は、図２に示すように、有底円筒状で、外壁と内壁との間が略真空に保持された真空二重壁構造を有する金属容器であり、その口部２ａの下側の内周面が径方向外側に窪んだ窪み部２ｂを有している。
【００２３】
前記蓋体３は、図３及び図５（ａ）、（ｂ）に示すように、蓋本体１０と、蓋本体１０に対して上下方向に移動可能に支持されるコア部材４０と、コア部材４０に対して上下方向に移動可能に蓋本体１０に支持される弾性変形可能なシリコーンゴム製の筒状のパッキン５０と、コア部材４０に対して蓋本体１０が降下した状態に保持する、その保持を解除可能な保持手段と、保持手段による保持を解除不能にロックする、そのロックを解除可能なロック手段と、コア部材４０に対して蓋本体１０を上方側に付勢する付勢手段を備えている。
【００２４】
前記蓋本体１０は、図４〜図９に示すように、容器本体２の口部２ａに被嵌されるベース部材１０ａ、ベース部材１０ａに装着することで、前記保持手段を構成する保持解除ボタン６１及びコイルバネ６９を収容するボタン収容部ＢＨを形成すると共に、ボタン収容部ＢＨから保持解除ボタン６１が脱落しないように、ボタン収容部ＢＨ内に保持解除ボタン６１及びコイルバネ６９を保持する補助部材１０ｂと、前記ロック手段を構成する操作部材１０ｃとから構成されている。
【００２５】
前記ベース部材１０ａは、操作部材１０ｃが回転可能に嵌着される嵌合凹部１２が形成された円盤状の天板１１と、この天板１１の周縁部から垂下する、上部に対向一対の開口１７が形成された円筒状の外筒部１６と、天板１１の下面から垂下する、外筒部１６の対向一対の開口１７に対応する位置に対向一対の開口１９が形成された円筒状の内筒部１８とを備えており、内筒部１８の内周面の上部には、一対の開口１９間の中間位置に一対の係止爪２０が形成されている。
【００２６】
前記補助部材１０ｂは、ベース部材１０ａの内筒部１８に嵌入可能な上端が閉塞された筒状部２１と、筒状部２１の下端に連設された外フランジ部２５と、外フランジ部２５を残して筒状部２１の天面から周面にわたって部分的に切除することによって形成された対向一対の開口部２２と、筒状部２１の天面における湾曲した周縁から立ち上がる、円弧状に湾曲した対向一対の起立片２６と、筒状部２１の天面から立ち上がって、保持手段のコイルバネ６９を位置決めする対向一対のバネガイド２３と、起立片２６の両端縁から開口部２２に沿って張り出す凸条２７と、起立片２６の外周面に形成された、ベース部材１０ａの内筒部１８に形成された係止爪２０が係止される一対の凹部２８と、対向一対の起立片２１に隣接して筒状部２１の天面に形成された一対の穴２４とを備えており、ベース部材１０ａの内筒部１８に嵌入された補助部材１０ｂは、ベース部材１０ａの係止爪２０が凹部２８に係止されることでベース部材１０ａに装着され、ベース部材１０ａの内筒部１８の上部にボタン収容部ＢＨが形成されるようになっている。
【００２７】
前記操作部材１０ｃは、ベース部材１０ａの嵌合凹部１２に嵌合する操作盤２９と、操作盤２９の周縁から下方に突出して、ベース部材１０ａの嵌合凹部１２の周縁部に形成された一対の円弧状のスリット１３に係止される一対の係止爪３０と、操作盤２９の下面の周縁部に連設された、ベース部材１０ａの嵌合凹部１２の周縁部に形成された一対の円弧状の長孔１４に嵌合する一対の係止部３１と、操作盤２９の下面に形成された、ベース部材１０ａの嵌合凹部１２の上面に形成された凹部１５に嵌合することで操作部材１０ｃをロック位置と非ロック解除位置に位置決めする一対の凸部３２と、操作盤２９の上面に形成された、ベース部材１０ａの天板１１に表示されたロック位置を示すロックマークＬＭまたはロック解除位置を示すロック解除マークＵＭを指し示す指示条３３とを備えており、一対の係止爪３０がベース部材１０ａの嵌合凹部１２に形成された一対の円弧状のスリット１３に係止されることで、操作盤２９がベース部材１０ａの嵌合凹部１２に嵌合した状態で回転可能に支持されると共に、ベース部材１０ａの嵌合凹部１２に形成された一対の円弧状の長孔１４に嵌合している係止部３１がロック位置とロック解除位置との間で移動するようになっている。
【００２８】
前記コア部材４０は、図３及び図１１（ａ）、（ｂ）に示すように、上端が閉塞された、下端に外フランジ部４３を有する筒状部４１と、この筒状部４１の外周面の中間部に形成された所定幅の周溝４２と、筒状部４１の上端部から立ち上がる、上端に係止爪４５を有する対向一対の起立片４４とを備えている。
【００２９】
前記パッキン５０は、図３及び図１２に示すように、外周面が全周に渡って径方向内側に窪んだ薄肉部５１と、この薄肉部５１から下方に向かってラッパ状に広がるスカート部５２と、内周面が全周に渡って径方向内側に張り出した内フランジ部５３と、内周面における内フランジ部５３の上側に隣接して形成された周溝５４とを有しており、図５（ａ）、（ｂ）に示すように、補助部材１０ｂの外フランジ部２５が周溝５４に嵌合することで、補助部材１０ｂが装着されたベース部材１０ａの内筒部１８に抜け止めされた状態で上半部が外嵌めされている。
【００３０】
従って、パッキン５０が取り付けられた蓋本体１０の補助部材１０ｂが装着されたベース部材１０ａの内筒部１８にコア部材４０を内嵌めすると、図４（ａ）、（ｂ）に示すように、パッキン５０の内フランジ部５３がコア部材４０の周溝４２に入り込み、コア部材４０がパッキン５０（蓋本体１０）に対して上下方向に移動可能にパッキン５０に支持されると共に、内フランジ部５３が周溝４２の上端部に位置し、スカート部５２の下端部がコア部材４０の外フランジ部４３の上面周縁部に当接した状態となる。
【００３１】
前記保持手段は、図５（ａ）、（ｂ）、図９及び図１０（ａ）、（ｂ）に示すように、コア部材４０の上端に係止爪４６を有する対向一対の起立片４５と、蓋本体１０のボタン収容部ＢＨにそれぞれ押し込み可能に収容される一対の保持解除ボタン６１と、この保持解除ボタン６１と共にボタン収容部ＢＨに収容され、それぞれの保持解除ボタン６１を蓋本体１０の径方向外側に付勢するコイルバネ６９とから構成されている。
【００３２】
前記保持解除ボタン６１は、図１０（ａ）、（ｂ）に示すように、ベース部材１０ａの開口１７に露出する押込操作部６２と、コア部材４０の対向一対の起立片４４が進入可能な穴６３と、この穴６３の基端部側の端縁に形成された被係止爪６４と、穴６３部分を横断するように上面側が切り欠かれた、操作部材１０ｃの係止部３１が進入可能な上面切欠部６５と、穴６３の押込操作部６２側の周面に形成された、操作部材１０ｃの係止部３１を収容可能な収容凹部６６と、両側部の基端部側に形成された一対の側面切欠部６７と、コイルバネ６９の端部がそれぞれ嵌合する凸部６８とを有しており、図９に示すように、補助部材１０ｂの対向一対の起立片２６の両端縁から開口部２２に沿って張り出す凸条２７がそれぞれの側面切欠部６７の両端部に係止されることで、ベース部材１０ａの開口１７からの保持解除ボタン６１の脱落が防止されると共に保持解除ボタン６１の押込量が制限されるようになっている。
【００３３】
前記コア部材４０の対向一対の起立片４４の上端にそれぞれ形成された対向一対の係止爪４５は、双方の対向面が内側に向かって下方側に傾斜した傾斜面になっていると共に、保持解除ボタン６１の被係止爪６４は係止爪４５の傾斜面と面接触可能な傾斜面を有しており、図５（ａ）に示すように、コア部材４０に対して蓋本体１０が最も上昇した状態では、保持解除ボタン６１がコア部材４０の係止爪４５よりも上側に位置している。
【００３４】
前記ロック手段は、操作部材１０ｃの一対の係止部３１と、保持解除ボタン６１の上面切欠部６５及び収容凹部６６とから構成されており、図１３（ａ）に示すように、操作部材１０ｃの指示条３３がベース部材１０ａの天板１１に表示されたロック解除マークＵＭを指し示す状態では、同図（ｂ）に示すように、操作部材１０ｃの一対の係止部３１が一対の保持解除ボタン６１の収容凹部６６に対向しており、同図（ｃ）に示すように、係止部３１を収容凹部６６内に収容するまで一対の保持解除ボタン６１を蓋本体１０の径方向内側に押し込むことができるが、図１４（ａ）に示すように、操作部材１０ｃの指示条３３がベース部材１０ａの天板１１に表示されたロックマークＬＭを指し示す状態では、同図（ｂ）、（ｃ）に示すように、操作部材１０ｃの一対の係止部３１が一対の保持解除ボタン６１の上面切欠部６５に進入して、一対の保持解除ボタン６１を蓋本体１０の径方向内側に押し込むことができない状態となる。
【００３５】
前記付勢手段は、図４、図５（ｂ）〜図７、図８（ｂ）及び図９に示すように、補助部材１０ｂの上側から一対の穴２４に嵌入される遊底の半割状筒部７２及び半割状筒部７２の上端から横方向に張り出す抜け止め用の鍔部７３を有し、半割状筒部７２の下端がコア部材４０の筒状部４１の天面に当接する一対の当接部材７１と、上端がベース部材１０ａの天板１１の下面に当接すると共に、下端が当接部材７１の遊底筒部７２内の底部に当接する一対のコイルバネ７４とから構成されており、コア部材４０に対して蓋本体１０を押し下げると、コイルバネ７４が圧縮され、コア部材４０と蓋本体１０とが相互に離反する方向に付勢されるようになっている。
【００３６】
以上のように構成された飲料容器１において、容器本体２の口部２ａを蓋体３によって閉塞するには、図１５（ａ）、（ｂ）に示すように、コア部材４０の外フランジ部４３が容器本体２の窪み部２ｂの下面に当接するまでパッキン５０及びコア部材４０を容器本体２の口部２ａに挿入した状態で蓋本体１０を押し下げることにより、図１６（ａ）、（ｂ）に示すように、コア部材４０に対して蓋本体１０及びパッキン５０が降下し、それに伴って、パッキン５０のスカート部５２がコア部材４０の外フランジ部４３に当接して押し広げられ、その先端がコア部材４０の外フランジ部４３の径方向外側に張り出して容器本体２の窪み部２ｂに圧入されることで容器本体２の窪み部２ｂに液密状態で圧着されるようになっている。
【００３７】
また、上述したように、コア部材４０の外フランジ部４３が容器本体２の窪み部２ｂの下面に当接するまでパッキン５０及びコア部材４０を容器本体２の口部２ａに挿入した状態で蓋本体１０を押し下げると、コア部材４０に対する蓋本体１０の降下に伴って、コア部材４０の起立片４４がロック解除ボタン６１の穴６３に進入して係止爪４５の傾斜面が被係止爪６４の傾斜面に面接触しながらロック解除ボタン６１の被係止爪６４が径方向内側に押し込まれるので、ロック解除ボタン６１が内側に押し込まれながら降下し、被係止爪６４が係止爪４５の下側に移動した時点でロック解除ボタン６１がコイルバネ６９の付勢力によって径方向外側に押し出されて係止爪４５に係止されるので（図１６（ａ）、（ｂ）参照）、コア部材４０に対して蓋本体１０が押し下げられた状態、即ち、容器本体２の口部２ａが蓋体３によって閉塞された状態に保持されると共に、付勢手段のコイルバネ７４が圧縮され、コア部材４０と蓋本体１０とが相互に離反する方向に付勢された状態となる。
【００３８】
このようにして、容器本体２の口部２ａを閉塞している蓋体３を取り外すには、一対のロック解除ボタン６１を同時に径方向内側に押し込んで被係止爪６４に対する係止爪４５の係止を解除すると、スカート部５２が押し広げられた状態に弾性変形しているパッキン５０の復元力に加えて、コア部材４０と蓋本体１０とを相互に離反する方向に付勢している付勢手段の付勢力が作用することによって、コア部材４０に対して蓋本体１０及びパッキン５０が即座に押し上げられるので、図１５（ａ）、（ｂ）に示す蓋本体１０を押し下げる前の状態に円滑かつ確実に戻り、容器本体２の口部２ａから引き抜くことで、蓋体３を容器本体２から取り外すことができる。
【００３９】
図１６（ａ）、（ｂ）に示すように、容器本体２の口部２ａが蓋体３によって閉塞された状態で、図１４（ａ）に示すように、指示条３３がベース部材１０ａの天板１１に表示されたロックマークＬＭを指し示す位置まで操作盤２９を回転させると、同図（ｂ）、（ｃ）に示すように、操作部材１０ｃの一対の係止部３１が一対の保持解除ボタン６１の上面切欠部６５に進入して、一対の保持解除ボタン６１を蓋本体１０の径方向内側に押し込むことができないロック状態となるので、飲料容器１の使用者が無意識のうちに保持解除ボタン６１の押込操作部６２に触れても、その保持解除ボタン６１が蓋本体１０の径方向内側に押し込まれたり、飲料容器１をかばんに収容していた場合にかばん内の収容物によって保持解除ボタン６１が押し込まれたりすることもない。従って、ロック手段によって保持手段による保持を解除不能にロックしておき、容器本体１に充填された飲料を注出する際にそのロックを解除することで、飲料容器１の使用者が開蓋する意思のないときは確実に閉蓋状態が維持されるので、使用者の意思に拘わらず開蓋されてしまうといった不測の事態を確実に防止することができる。
【産業上の利用可能性】
【００４０】
本考案は、携帯用魔法瓶や水筒等の携帯用飲料容器等として利用することができる。
【符号の説明】
【００４１】
１  飲料容器
２  容器本体
２ａ  口部
２ｂ  窪み部
３  蓋体
１０  蓋本体
１０ａ  ベース部材
１０ｂ  補助部材
１０ｃ  操作部材
１１  天板
１２  嵌合凹部
１３  スリット
１４  長孔
１５  凹部
１６  外筒部
１７  開口
１８  内筒部
１９  開口
２０  係止爪
２１  筒状部
２２  開口部
２３  バネガイド
２４  穴
２５  外フランジ部
２６  起立片
２７  凸条
２８  凹部
２９  操作盤
３０  係止爪
３１  係止部
３２  凸部
３３  指示条
４０  コア部材
４１  円筒部
４２  周溝
４３  外フランジ部
４４  起立片
４５  係止爪
５０  パッキン
５１  薄肉部
５２  スカート部
５３  内フランジ部
５４  周溝
６１  ロック解除ボタン
６２  押込操作部
６３  穴
６４  被係止爪
６５  上面切欠部
６６  収容凹部
６７  側面切欠部
６８  凸部
６９  コイルバネ
７１  当接部材
７２  半割状筒部
７３  鍔部
７４  コイルバネ
ＢＨ  ボタン収容部
ＬＭ  ロックマーク
ＵＭ  ロック解除マーク
【図１】
0003229318.tif 000003
【図２】
0003229318.tif 000004
【図３】
0003229318.tif 000005
【図４】
0003229318.tif 000006
【図５】
0003229318.tif 000007
【図６】
0003229318.tif 000008
【図７】
0003229318.tif 000009
【図８】
0003229318.tif 000010
【図９】
0003229318.tif 000011
【図１０】
0003229318.tif 000012
【図１１】
0003229318.tif 000013
【図１２】
0003229318.tif 000014
【図１３】
0003229318.tif 000015
【図１４】
0003229318.tif 000016
【図１５】
0003229318.tif 000017
【図１６】
0003229318.tif 000018
【図１７】
0003229318.tif 000019
【図１８】
0003229318.tif 000020
【図１９】
0003229318.tif 000021
【図２０】
0003229318.tif 000022
【図２１】
0003229318.tif 000023